(57)【要約】【課題】乾燥空気を斜め上前方から斜め上後方の範囲に変更させるために、風向変更ルーバーを９０度以上回動させる必要があり、前記風向変更ルーバーの可動範囲を確保するために吹出口付近のスペースが大きくなり、風向変更によるロスも大きなものであった。【解決手段】本体上方の吹出口２に回動可能に設けた第１の風向変更ルーバー３と、第１の風向変更ルーバー３に軸支され回動可能に設けた第２の風向変更ルーバー９の組み合わせにより、小さな可動範囲で効率良く乾燥空気の吹出範囲を拡大するとともに送風の指向性を高めることができる。【選択図】図１
2005226961.tif 000002
【特許請求の範囲】
【請求項１】
本体に設けた吹出口と、吹出口の下流側に回動可能に設けた第１の風向変更ルーバーと、第１の風向変更ルーバーに軸支され回動可能に設けた第２の風向変更ルーバーを有してなる風向変更装置。
【請求項２】
第１の風向変更ルーバーと第２の風向変更ルーバーは独立して回動可能とし、少なくとも第２の風向変更ルーバーを複数段の回動角度で仮固定可能に設けた請求項１記載の風向変更装置。
【請求項３】
第１の風向変更ルーバーは平行する複数の翼部を備え、第２の風向変更ルーバーを前記翼部の間に配置した請求項１記載の風向変更装置。
【請求項４】
第１の風向変更ルーバーに備えた複数の翼部間に、平面上において隙間を設けた請求項３記載の風向変更装置。
【請求項５】
第１の風向変更ルーバーは本体に軸支される軸部と、この軸部を備えた一対の側板を有し、この側板に第２の風向変更ルーバーを軸支する軸穴を設けた請求項１記載の風向変更装置。
【請求項６】
第１の風向変更ルーバーの軸穴の位置を、軸部より前方に設けた請求項５記載の風向変更装置。
【請求項７】
第１の風向変更ルーバーと第２の風向変更ルーバーをともに回動することにより、本体の後方に風向変更可能とした請求項１記載の風向変更装置。
【請求項８】
第１の風向変更ルーバーの回動角度を９０度以内とし、前記風向変更ルーバーの最大回動角度と平行となる平坦壁を吹出口の下流側に形成した請求項１記載の風向変更装置。
【請求項９】
第２の風向変更ルーバーの回動角度を最大３０度〜６０度とした請求項１または請求項８記載の風向変更装置。
【請求項１０】
第１の風向変更ルーバーを９０度回動したとき、第２の風向変更ルーバー用の軸穴の位置は、吹出口下流の平坦壁先端より前方に位置してなる請求項８記載の風向変更装置。
【請求項１１】
第２の風向変更ルーバーを回動して４５度に仮固定し、第１の風向変更ルーバーを駆動モーターにより０度から９０度の範囲で往復回動することにより、吹出口の送風方向を中心に等角度範囲に送風可能とした請求項２記載の風向変更装置。
【請求項１２】
第１の風向変更ルーバーと第２の風向変更ルーバーを閉じたとき、各風向変更ルーバーはその表面が本体表面と同一平面を形成してなる請求項１記載の風向変更装置。
【請求項１３】
第１の風向変更ルーバーまたは第２の風向変更ルーバーに出没可能な補助翼を設けた請求項１記載の風向変更装置。
【発明の詳細な説明】
【技術分野】
【０００１】
本発明は除湿機などの空調装置の吹出口に使用される風向変更装置に関する。
【背景技術】
【０００２】
従来、この種の風向変更装置の一例として、吹出口上面に回動可能に設けられた乾燥空気の風向を変更する風向変更ルーバーと、前記風向変更ルーバーにより本体上面に沿って進む乾燥空気を下方に導く補助壁を備え、乾燥空気の風向を上方および下方へ変更可能とした風向変更装置が知られている（例えば、特許文献１参照）。
【０００３】
以下、従来の風向変更装置について図９を参照しながら説明する。
【０００４】
図に示すように、本体１１０上部の吹出口１１１の上方に回動可能に設けられた風向変更ルーバー１１２を略水平９０度以上回動させることにより、乾燥空気を斜め上前方から斜め上後方の範囲に変更させることが可能で、さらに吹出口ダクト壁部１１３により、風向変更ルーバー１１２が略水平位置の時には、斜め下方に方向を変更させることができる。
【特許文献１】特開２００１−２５４９７０号公報（図４〜図９）
【発明の開示】
【発明が解決しようとする課題】
【０００５】
このような従来の風向変更装置では、乾燥空気を水平から斜め上後方の範囲に変更させるために、風向変更ルーバーを９０度以上回動させる必要があり、前記風向変更ルーバーの可動範囲を確保するために吹出口付近の寸法が大きくなるという課題があり、省スペースで広範囲に風向変更できることが要求されている。
【０００６】
また、一つの風向変更ルーバーを回動して風向変更しているので、変更角度が大きいときは滑らかに風向変更し難く、風速も遅くなるという課題があり、抵抗が少なく滑らかに風向変更でき、高風速を保つことが要求されている。
【０００７】
本発明は、このような従来の課題を解決するものであり、吹出口付近を拡張することなく省スペースで円滑に風向変更して、広範囲かつ高風速で乾燥空気を供給することを目的としている。
【課題を解決するための手段】
【０００８】
本発明の風向変更装置は、上記目的を達成するために、本体に設けた吹出口と、吹出口の下流側に回動可能に設けた第１の風向変更ルーバーと、第１の風向変更ルーバーに軸支され回動可能に設けた第２の風向変更ルーバーを有したものである。
【０００９】
また、他の手段は、第１の風向変更ルーバーと第２の風向変更ルーバーは独立して回動可能とし、少なくとも第２の風向変更ルーバーを複数段の回動角度で仮固定可能に設けたものである。
【００１０】
また、他の手段は、第１の風向変更ルーバーは平行する複数の翼部を備え、第２の風向変更ルーバーを前記翼部の間に配置したものである。
【００１１】
また、他の手段は、第１の風向変更ルーバーに備えた複数の翼部間に、平面上において隙間を設けたものである。
【００１２】
また、他の手段は、第１の風向変更ルーバーは本体に軸支される軸部と、この軸部を備えた一対の側板を有し、この側板に第２の風向変更ルーバーを軸支する軸穴を設けたものである。
【００１３】
また、他の手段は、第１の風向変更ルーバーの軸穴の位置を、軸部より前方に設けたものである。
【００１４】
また、他の手段は、第１の風向変更ルーバーと第２の風向変更ルーバーをともに回動することにより、本体の後方に風向変更可能としたものである。
【００１５】
また、他の手段は、第１の風向変更ルーバーの回動角度を９０度以内とし、前記風向変更ルーバーの最大回動角度と平行となる平坦壁を吹出口の下流側に形成したものである。
【００１６】
また、他の手段は、第２の風向変更ルーバーの回動角度を最大３０度〜６０度としたものである。
【００１７】
また、他の手段は、第１の風向変更ルーバーを９０度回動したとき、第２の風向変更ルーバー用の軸穴の位置は、吹出口下流の平坦壁先端より前方に位置してなるものである。
【００１８】
また、他の手段は、第２の風向変更ルーバーを回動して４５度に仮固定し、第１の風向変更ルーバーを駆動モーターにより０度から９０度の範囲で往復回動することにより、吹出口の送風方向を中心に等角度範囲に送風可能としたものである。
【００１９】
また、他の手段は、第１の風向変更ルーバーと第２の風向変更ルーバーを閉じたとき、各風向変更ルーバーはその表面が本体表面と同一平面を形成してなるものである。
【００２０】
また、他の手段は、第１の風向変更ルーバーまたは第２の風向変更ルーバーに出没可能な補助翼を設けたものである。
【００２１】
これらの手段により、吹出口付近を拡張することなく省スペースで円滑に風向変更して、広範囲かつ高風速で乾燥空気を供給する風向変更装置が得られる。
【発明の効果】
【００２２】
本発明によれば、省スペースで風向変更ルーバーを設置することができ、風向の組み合わせにより、多様な送風方法を効率よく実現できる効果のある風向変更装置を提供できる。
【００２３】
また、送風方向あるいは風向範囲を調整して多様な吹出方向の設定が可能となり、また第２の風向変更ルーバーの角度設定が容易にできる効果のある風向変更装置を提供できる。
【００２４】
また、第１の風向変更ルーバーは複数翼を有しているので送風方向の指向性を高め、第２の風向変更ルーバーで的を絞って風向を変更することができる効果のある風向変更装置を提供できる。
【００２５】
また、第２の風向変更ルーバーの大きさおよび回動範囲の制約が少なくなり、第１の風向変更ルーバーで方向変更した流れを、風量を減らさずに更に方向変更できる効果のある風向変更装置を提供できる。
【００２６】
また、高機能の風向変更ルーバーを簡単な構成で設置でき、小型化およびコストダウンできる効果のある風向変更装置を提供できる。
【００２７】
また、コンパクトな形状で勢いを弱めることなく方向変更できる効果のある風向変更装置を提供できる。
【００２８】
また、洗濯物を広範囲に吊り下げたり、本体後方に吊り下げても乾燥できる効果のある風向変更装置を提供できる。
【００２９】
また、送風指向性が高まるとともに、吹出口付近の設置スペースを小型化できる効果のある風向変更装置を提供できる。
【００３０】
また、第１の風向変更ルーバーの回動角度９０度に、さらに第２の風向変更ルーバーの最大回動角度３０〜６０度をプラスした広範囲の風向を実現することができる効果のある風向変更装置を提供できる。
【００３１】
また、吹出口後部に垂直の平坦壁があっても、本体後方に送風が可能となり、乾燥空気を広範囲に供給できる効果のある風向変更装置を提供できる。
【００３２】
また、吹出口の正面だけでなく、本体の前後に均等に送風して、洗濯物などを効率よく乾燥できる効果のある風向変更装置を提供できる。
【００３３】
また、運転停止時は吹出口からのゴミなどの異物の侵入を防ぎ、同時にデザイン上すっきりした外観にできる効果のある風向変更装置を提供できる。
【００３４】
また、通常運転時はルーバーの外観形状を拡大せずに、必要時のみ送風指向性を高めて洗濯物などの乾燥効率を上げる効果のある風向変更装置を提供できる。
【発明を実施するための最良の形態】
【００３５】
本発明の請求項１記載の発明は、本体に設けた吹出口と、吹出口の下流側に回動可能に設けた第１の風向変更ルーバーと、第１の風向変更ルーバーに軸支され回動可能に設けた第２の風向変更ルーバーを有したものであり、第１の風向変更ルーバー領域に重なって第２の風向変更ルーバーが設けられているため、全体寸法が縮小され省スペースで風向変更ルーバーを設置することができ、風向の組み合わせにより、指向性を高めた送風方法や、広範囲に拡大する送風方法を効率よく実現できるという作用を有する。
【００３６】
また、第１の風向変更ルーバーと第２の風向変更ルーバーは独立して回動可能とし、少なくとも第２の風向変更ルーバーを複数段の回動角度で仮固定可能に設けたものであり、第１の風向変更ルーバーと第２の風向変更ルーバーの組合わせで、送風方向あるいは風向範囲を調整して多様な吹出方向の設定が可能となり、また第２の風向変更ルーバーの角度設定が容易にできるという作用を有する。
【００３７】
また、第１の風向変更ルーバーは平行する複数の翼部を備え、第２の風向変更ルーバーを前記翼部の間に配置したものであり、第１の風向変更ルーバーは複数翼を有しているので送風方向の指向性を高め、第２の風向変更ルーバーで的を絞って風向を変更することができるという作用を有する。
【００３８】
また、第１の風向変更ルーバーに備えた複数の翼部間に、平面上において隙間を設けたものであり、第２の風向変更ルーバー設置のスペースが大きくとれるので、第２の風向変更ルーバーの形状を大きく回動範囲を広くして、第２の風向変更ルーバーの風向変更機能を充分発揮できるという作用を有する。
【００３９】
また、第１の風向変更ルーバーは本体に軸支される軸部と、この軸部を備えた一対の側板を有し、この側板に第２の風向変更ルーバーを軸支する軸穴を設けたものであり、第１の風向変更ルーバーに第２の風向変更ルーバーを、簡単な構造で略一体的に組み立てることができるという作用を有する。
【００４０】
また、第１の風向変更ルーバーの軸穴の位置を、軸部より前方に設けたものであり、第２の風向変更ルーバーは第１の風向変更ルーバーで方向変更した乾燥空気を、ロス無く続けて短距離で方向変更できるという作用を有する。
【００４１】
また、第１の風向変更ルーバーと第２の風向変更ルーバーをともに回動することにより、本体の前方だけでなく、後方にも無理なく乾燥空気を吹き付けることができるという作用を有する。
【００４２】
また、第１の風向変更ルーバーの回動角度を９０度以内とし、前記風向変更ルーバーの最大回動角度と平行となる平坦壁を吹出口の下流側に形成したものであり、第１の風向変更ルーバーが平坦壁と平行になり送風指向性が高まるとともに、第１の風向変更ルーバーの回動範囲を少なくして省スペースに対応できるという作用を有する。
【００４３】
また、第２の風向変更ルーバーの回動角度を最大３０度〜６０度としたものであり、第１の風向変更ルーバーの回動角度０度〜９０度に、さらに第２の風向変更ルーバーの回動角度０度〜３０度あるいは０度〜６０度をプラスした広範囲の風向変更を、滑らかに実現できるという作用を有する。
【００４４】
また、第１の風向変更ルーバーを９０度回動したとき、第２の風向変更ルーバー用の軸穴の位置は、吹出口下流の平坦壁先端より前方に位置してなるものであり、吹出口の平坦壁先端より先の位置で風向変更することができるので、平坦壁を越えた反対側の範囲に風向や風速に乱れのない送風ができるという作用を有する。
【００４５】
また、第２の風向変更ルーバーを回動して４５度に仮固定し、第１の風向変更ルーバーを駆動モーターにより０度から９０度の範囲で往復回動することにより、吹出口の送風方向を中心に等角度範囲に送風可能としたものであり、吹出口の正面だけでなく、本体の前後に設けた被乾燥物に均等に乾燥風を供給できるという作用を有する。
【００４６】
また、第１の風向変更ルーバーと第２の風向変更ルーバーを閉じたとき、各風向変更ルーバーはその表面が本体表面と同一平面を形成したものであり、開口する吹出口の正面をを塞ぐことで、運転停止時は吹出口からゴミなどの異物の侵入を防ぎ、格子状の吹出口が露呈せず平面的な外観を呈するという作用を有する。
【００４７】
また、第１の風向変更ルーバーまたは第２の風向変更ルーバーに出没可能な補助翼を設けたものであり、通常使用時はルーバーの外観形状を拡大せずに、必要時に送風指向性を高めるという作用を有する。
【００４８】
以下、本発明の実施の形態について図面を参照しながら説明する。
【００４９】
（実施の形態１）
図１〜図７に示すように、除湿装置本体１の上部に設けた吹出口２から、除湿された乾燥空気を吐出する。吹出口２に面して下流側に第１の風向変更ルーバー３を回動可能に設け、第１の風向変更ルーバー３は第２の風向変更ルーバー９を回動可能に軸支している。
【００５０】
第１の風向変更ルーバー３は上下に平行に配置した横長形状の翼部４，５と、この翼部４，５を繋ぐ一対の側板６，７にて一体に形成され、側板６，７の外側に軸部６ａ、７ａを突設し、本体１の上部側壁１ａ、１ｂに設けた支持部１ｃ，１ｅに回動可能に軸支されている。翼部４、５はそれぞれ第１の風向変更ルーバー３の前端下部と後端上部に配置し、さらに翼部４、５間に平面上の隙間８を設けている。また、側板６，７の軸部６ａ，７ａより前方位置に軸穴６ｂ，７ｂを設けている。
【００５１】
横長形状の第２の風向変更ルーバー９は、両端に一対の軸片９ａを突設し、第１の風向変更ルーバー３の側板６，７に設けた軸穴６ｂ，７ｂに軸片９ａを嵌入することにより、第１の風向変更ルーバー３に回動可能に軸支されている。
【００５２】
本体１の上部側壁１ａ、１ｂと隣接して、吹出口２の下流側後部に垂直平面状の平坦壁１０を立設し、吹出口２の出口側を断面コ字状に包囲する壁面を形成している。
【００５３】
第１の風向変更ルーバー３は、０度（水平）から９０度（垂直）の角度範囲で回動可能に設けられ、軸部６ａを軸支する支持部１ｃを駆動モータ（図示せず）の駆動軸とすることにより、往復回動を自動運転できるようにしているが、０度から９０度の任意の角度に静止させることもできる。また、下記に示す第２の風向変更ルーバー９と同様に、手動で回動可能として段階的に仮固定するようにしてもよい。
【００５４】
また、第１の風向変更ルーバー３の回動可能に軸支される第２の風向変更ルーバー９は、側板６，７に対して０度から最大角度３０度または６０度まで回動可能に設けるのが実用的であり、本実施の形態では回動できる最大角度を４５度として、段階的に回動できるようにしている。すなわち、第２の風向変更ルーバー９は側面に設けた突部９ｄを、第１の風向変更ルーバー３の側面に設けた複数の凹部６ｃのいずれか１つに係合させることにより、０度、２２．５度、４５度の３段階の角度で仮固定できるようにしている。
【００５５】
また、第２の風向変更ルーバー９は外側の主翼部９ｂに対して内側の副翼部９ｃが一段下がった構造であり、第２の風向変更ルーバー９を回動角度０度としたとき、副翼部９ｃは第２の風向変更ルーバー９の翼部５の下に密接して収納され、第１の風向変更ルーバー３の翼部５と第２の風向変更ルーバー９の主翼部９ｂの表面は略同一平面を形成する。さらに、この状態で第１の風向変更ルーバー３を回動角度０度（水平）とすると、翼部５および主翼部９ｂの表面と本体１の天面１ｄが略同一平面を形成する。そして、第１の風向変更ルーバー３の翼部４、側板６および側板７の各先端部と、第２の風向変更ルーバー９の先端部が、略同一垂直面上に有るように形成されている。
【００５６】
上記構成において、まず第１の風向変更ルーバー３を手動で回動して、０度から９０度の範囲の任意の角度に風向を定めることができる。また、軸支する駆動モータに通電すると、０度から９０度の範囲で往復回動運転を行うことができる。
【００５７】
次に、第２の風向変更ルーバー９を０度、２２．５度、４５度のいずれかに回動して、仮固定することにより、風向を段階的に変更することができる。このとき、第１の風向変更ルーバー３の翼部４，５間に平面上の隙間８を設けているので、第２の風向変更ルーバー９の大きさや回動範囲の制約が少なくなり、また第２の風向変更ルーバー９を最大に回動した場合に、翼部４および翼部５と間に通風できる空間を残すことができるので、通風量を減少させずに風向変更することができる。
【００５８】
また、第１の風向変更ルーバー３を９０度に静止したときは、平坦壁１０と翼部４，５は平衡状態となるため、送風方向の指向性が高まる。このとき第２の風向変更ルーバー９を２２．５度または４５度に回動して仮固定することにより、平坦壁１０を越えて本体１の後方側に送風することができ、小型かつ省スペースで、効率良く広範囲に風向変更することができるものである。
【００５９】
また、第２の風向変更ルーバー９を０度に仮固定して、第１の風向変更ルーバー３を駆動モータにて０度から９０度の範囲で往復回動すると、吹き出し方向は本体の斜め前方範囲となるが、第２の風向変更ルーバー９を２２．５度に仮固定して、同様に往復回動すると、本体１の後方範囲にも周期的に送風することができる。さらに、第２の風向変更ルーバー９を４５度に仮固定して、同様に往復回動すると、吹出口２を中心として本体１の前後上方の４５度方向に周期的に送風することができ、本体１前後の送風範囲に洗濯物を吊り下げて乾燥風を供給することにより、広範囲かつ均等に効率的な衣類乾燥を行うことができる。
【００６０】
また、第１の風向変更ルーバー３と第２の風向変更ルーバー９を閉じたときは、本体１の天面１ｄと各風向変更ルーバー３，９の表面が略同一平面を形成することにより、運転停止時に吹出口２から本体１内へのゴミや異物の侵入を防ぐとともに、すっきりした外観デザインとすることができる。
【００６１】
なお、本実施の形態では除湿装置本体を床置型としたが、本体を壁掛型または天井取付型としても、同様の効果を発揮する。
【００６２】
（実施の形態２）
図８に示すように、第２の風向変更ルーバー９の主翼部９ｂの下面に近接して補助翼１１を収納し、主翼部９ｂの先端より出没可能に設けている。
【００６３】
上記構成において、通常使用時は補助翼１１は主翼部９ｂの下面に収納しているが、厚手の洗濯物などに集中的に乾燥空気を供給したいときは、送風方向の指向性を高めるために、補助翼１１を前方に引き出して仮固定する。これにより、必要に応じて補助翼を使用することにより、指向性を高めた集中乾燥が可能となり、第２の風向変更ルーバー９の外観寸法を増やすことなく、多様な乾燥機能を発揮することができる。
【００６４】
なお、本実施の形態では、補助翼１１を第２の風向変更ルーバー９に設けているが、第１の風向変更ルーバー３に設けても、同様の効果を発揮するものである。
【産業上の利用可能性】
【００６５】
本発明に係る風向変更装置は、吹出空気を広範囲にまたは絞り込んで吐出する空調機器に有用である。
【図面の簡単な説明】
【００６６】
【図１】本発明の実施形態１の風向変更装置を示す分解斜視図
【図２】同風向変更ルーバーの分解斜視図
【図３】同風向変更ルーバーを閉じた状態を示す斜視図
【図４】同第１の風向変更ルーバーのみを回動する状態を示す側断面図
【図５】同第１の風向変更ルーバーの９０度回動時の状態を示す側断面図
【図６】同第１、第２の風向変更ルーバーを最大回動の状態を示す側断面図
【図７】同第２の風向変更ルーバーのみを４５度回動の状態を示す側断面図
【図８】本発明の実施の形態２の風向変更装置を示す側断面図
【図９】従来の風向変更装置の側断面図
【符号の説明】
【００６７】
１    本体
１ｄ  天面（本体表面）
２    吹出口
３    第１の風向変更ルーバー
４    翼部
５    翼部
６    側板
６ａ  軸部
６ｂ  軸穴
７    側板
７ａ  軸部
７ｂ  軸穴
８    隙間
９    第２の風向変更ルーバー
１０  平坦壁
１１  補助翼
【図１】
2005226961.tif 000003
【図２】
2005226961.tif 000004
【図３】
2005226961.tif 000005
【図４】
2005226961.tif 000006
【図５】
2005226961.tif 000007
【図６】
2005226961.tif 000008
【図７】
2005226961.tif 000009
【図８】
2005226961.tif 000010
【図９】
2005226961.tif 000011